(57)【特許請求の範囲】
【請求項１】
機器ケースに対してスライド可能に取り付けられ、且つ前記機器ケースに設けられた記録紙排出口を開閉可能に塞ぐスライド蓋と、
このスライド蓋と前記記録紙排出口の周囲に位置する箇所の前記機器ケースとの一方に設けられ、前記スライド蓋が前記記録紙排出口を塞いだ際に、前記記録紙排出口を囲んで前記スライド蓋と前記機器ケースとの間に配置される防水パッキンと、
前記スライド蓋のスライド動作中のときに前記防水パッキンが対面する前記スライド蓋と前記機器ケースとの他方に前記防水パッキンを押し付けず、前記スライド蓋が前記記録紙排出口を塞いでスライド動作が終了した際に前記防水パッキンを前記スライド蓋と前記機器ケースとの間に挟み付けるガイド部材と、を備え、
前記ガイド部材は、前記スライド蓋の下面に設けられたガイド突起部を更に備え、
前記機器ケース側には、前記スライド蓋がスライドする前記機器ケース側に設けられて前記ガイド突起部を押し上げながらガイドすると共に、前記スライド蓋が前記記録紙排出口を塞ぐ際には前記ガイド突起部を落し込んで前記防水パッキンを前記記録紙排出口の外周縁に押し付けるためのガイドレール部が設けられていることを特徴とする電子機器。
【請求項２】
前記記録紙排出口の縁部に位置する前記機器ケースの箇所には、押え突起部が前記スライド蓋に向けて突出して設けられており、前記スライド蓋には、前記記録紙排出口を前記スライド蓋が塞いでスライド動作が終了する際に、前記押え突起部によって前記機器ケースに向けて押し付けられる係合突起部が設けられていることを特徴とする請求項１に記載の電子機器。
【請求項３】
前記防水パッキンは、前記スライド蓋に設けられて前記機器ケースに対してスライド可能に対面していることを特徴とする請求項１または２に記載の電子機器。
【請求項４】
前記機器ケースには、記録紙を収納する記録紙収納部が設けられていると共に、この記録紙収納部を開閉可能に覆うプリンタカバーが設けられており、前記スライド蓋は、前記プリンタカバーにスライド可能に取り付けられていることを特徴とする請求項１〜３のいずれかに記載の電子機器。
【請求項５】
前記プリンタカバーには、前記スライド蓋がスライド可能に配置する蓋収納凹部が設けられていることを特徴とする請求項４に記載の電子機器。
【請求項６】
前記スライド蓋がスライドして前記記録紙排出口を開放した際に、印字を可能にするための検出信号を出力する検出部を備えていることを特徴とする請求項１〜５のいずれかに記載の電子機器。
【発明の詳細な説明】
【技術分野】
【０００１】
この発明は、携帯情報端末機や小型電子式計算機などの電子機器に関する。
【背景技術】
【０００２】
例えば、プリンタを備えた携帯型の電子機器においては、特許文献１に記載されているように、機器ケースに設けられた記録紙収納部をプリンタカバーで開閉可能に塞ぎ、この状態で記録紙収納部に収納された記録紙に情報を印字し、この印字された記録紙を機器ケースの記録紙排出口から順次送り出すように構成されたものが知られている。
【先行技術文献】
【特許文献】
【０００３】
【特許文献１】特開２００７−２１０１３３号公報
【発明の概要】
【発明が解決しようとする課題】
【０００４】
このようなプリンタを備えた携帯型の電子機器では、雨天のときに屋外で携帯する際に、記録紙排出口から雨水などの水滴がプリンタ部に浸入しやすいため、記録紙排出口を蓋体によって開閉可能に塞ぐことが検討されている。
【０００５】
しかしながら、記録紙排出口を開閉可能に塞ぐ蓋体を備えているだけでは、雨水などの水滴が直接、記録紙排出口から浸入するのを防ぐことができても、蓋体に付着した雨水などの水滴が蓋体の裏面側に回り込んで記録紙排出口から浸入する恐れがある。
【０００６】
この発明が解決しようとする課題は、記録紙排出口から水滴が浸入するのを防ぐことができると共に、耐久性に優れた電子機器を提供することである。
【課題を解決するための手段】
【０００７】
この発明は、機器ケースに対してスライド可能に取り付けられ、且つ前記機器ケースに設けられた記録紙排出口を開閉可能に塞ぐスライド蓋と、このスライド蓋と前記記録紙排出口の周囲に位置する箇所の前記機器ケースとの一方に設けられ、前記スライド蓋が前記記録紙排出口を塞いだ際に、前記記録紙排出口を囲んで前記スライド蓋と前記機器ケースとの間に配置される防水パッキンと、前記スライド蓋のスライド動作中のときに前記防水パッキンが対面する前記スライド蓋と前記機器ケースとの他方に前記防水パッキンを押し付けず、前記スライド蓋が前記記録紙排出口を塞いでスライド動作が終了した際に前記防水パッキンを前記スライド蓋と前記機器ケースとの間に挟み付けるガイド部材と、を備え、前記ガイド部材は、前記スライド蓋の下面に設けられたガイド突起部を更に備え、前記機器ケース側には、前記スライド蓋がスライドする前記機器ケース側に設けられて前記ガイド突起部を押し上げながらガイドすると共に、前記スライド蓋が前記記録紙排出口を塞ぐ際には前記ガイド突起部を落し込んで前記防水パッキンを前記記録紙排出口の外周縁に押し付けるためのガイドレール部が設けられていることを特徴とする電子機器である。
【発明の効果】
【０００８】
この発明によれば、記録紙排出口から水滴が浸入するのを防ぐことができると共に、耐久性に優れた電子機器を提供することができる。
【図面の簡単な説明】
【０００９】
【図１】この発明を携帯情報端末機に適用した一実施形態を示した斜視図である。
【図２】図１に示された携帯情報端末機においてプリンタカバーを開いて機器ケース上に起立させた状態を示した斜視図である。
【図３】図１に示された携帯情報端末機における蓋開閉装置を示し、（ａ）はプリンタカバーが閉じた状態における蓋開閉装置の要部を示した拡大側面図、（ｂ）はその状態において機器ケース内に位置する蓋開閉装置の要部を示した拡大断面図である。
【図４】図３に示された携帯情報端末機において操作部材を回転操作してロック部材がプリンタカバーを少し押し上げた状態の蓋開閉装置を示し、（ａ）はその状態における蓋開閉装置の要部を示した拡大側面図、（ｂ）はその状態において機器ケース内に位置する蓋開閉装置の要部を示した拡大断面図である。
【図５】図１に示された携帯情報端末機におけるプリンタ部を示し、（ａ）はそのプリンタ部のスライド蓋をスライドさせて記録紙排出口を開放させた状態を示した要部の拡大平面図、（ｂ）はそのプリンタ部のスライド蓋をスライドさせて記録紙排出口を塞いだ状態を示した要部の拡大平面図である。
【図６】図５（ａ）に示されたプリンタ部において、スライド蓋を取り外した状態を示した要部の拡大平面図である。
【図７】図５（ａ）に示されたスライド蓋を示し、（ａ）はその拡大平面図、（ｂ）はその拡大裏面図である。
【図８】図５（ａ）に示されたプリンタ部のＡ−Ａ矢視における要部の拡大断面図である。
【図９】図８に示されたプリンタ部におけるスライド蓋のスライド状態を示し、（ａ）はスライド蓋が記録紙排出口側に向けて少しスライドした状態を示した要部の拡大断面図、（ｂ）はスライド蓋がスライドして記録紙排出口に接近した状態を示した要部の拡大断面図、（ｃ）はスライド蓋がスライドして記録紙排出口を塞いだ状態を示した要部の拡大断面図である。
【図１０】図５（ａ）に示されたプリンタ部のＢ−Ｂ矢視における要部の断面を示し、（ａ）はスライド蓋が完全に開いた状態を示した要部の拡大断面図、（ｂ）はスライド蓋がスライドして記録紙排出口を塞いで係合突起部が押え突起部によって押し下げられた状態を示した要部の拡大断面図である。
【発明を実施するための形態】
【００１０】
以下、図１〜図１０を参照して、この発明を携帯情報端末機に適用した一実施形態について説明する。
この携帯情報端末機は、図１および図２に示すように、機器ケース１を備えている。この機器ケース１は、上部ケース２および下部ケース３を備えている。
【００１１】
この機器ケース１は、図１および図２に示すように、全体が縦方向（図１では左右方向）に長いほぼ長方形の箱形状に形成されている。この場合、機器ケース１は、その手前側（図１では左側）が幅の狭い握り部１ａに形成され、先端側（図１では右側）が幅の広いプリンタ搭載部１ｂに形成された構成になっている。この機器ケース１の上部ケース２における握り部１ａには、入力表示部４とキー入力部５とが設けられている。
【００１２】
入力表示部４は、表示パネルの表面に透明なタッチパネルを配置したものであり、表示パネルに表示された情報が透明なタッチパネルを通して見え、この表示された情報を見ながらタッチパネルをタッチ操作することにより、情報が入力されるように構成されている。また、キー入力部５は、テンキー、ファンクションキーなどの各種のキーを備え、キー操作によって情報が入力されるように構成されている。
【００１３】
また、この機器ケース１の上部ケース２におけるプリンタ搭載部１ｂには、図１〜図３に示すように、プリンタ部６が設けられている。このプリンタ部６は、プリンタ搭載部１ｂにおける機器ケース１内に設けられた記録紙収納部７と、この記録紙収納部７に収納された記録紙（図示せず）を順次引き出しながら情報を印字する印字ヘッド８と、記録紙収納部７を開閉可能に塞ぐプリンタカバー９とを備えている。
【００１４】
記録紙収納部７は、図１〜図３に示すように、機器ケース１内にほぼ半円弧状の凹部形状に形成され、その内部にロール状の記録紙（図示せず）を回転可能な状態で収納するように構成されている。この場合、機器ケース１の上部ケース２には、記録紙挿入口２ａが記録紙収納部７に対応して設けられている。印字ヘッド８は、サーマルヘッドであり、図３（ｂ）に示すように、入力表示部４側に位置する機器ケース１内に記録紙収納部７に対面して設けられている。
【００１５】
プリンタカバー９は、図１〜図３に示すように、上側に向けてほぼ円弧状に湾曲して突出する湾曲面に形成されている。このプリンタカバー９の周縁部は、上部ケース２の記録紙挿入口２ａの外周に対応する枠状に形成されている。この場合、プリンタカバー９における枠状の周縁部には、印字ヘッド８側に位置する縁部、つまり後述する記録紙排出口２２に対応する箇所を除いて、防水パッキン９ａが設けられている。この防水パッキン９ａは、プリンタカバー９が記録紙収納部７を塞いで閉じた際に、上部ケース２の記録紙挿入口２ａの外周に弾接するように構成されている。
【００１６】
また、このプリンタカバー９における入力表示部４側に位置する端部の内面には、図２に示すように、プラテンローラ１０が回転可能に設けられている。このプラテンローラ１０は、図２および図３に示すように、プリンタカバー９が記録紙収納部７を塞いで閉じた際に、印字ヘッド８に接触もしくは接近した状態で配置されるように構成されている。これにより、印字ヘッド８は、これとプラテンローラ１０との間に記録紙が送り込まれ、この送り込まれた記録紙をプラテンローラ１０に押し付けながら情報を印字するように構成されている。
【００１７】
さらに、このプリンタカバー９は、図２に示すように、蓋開閉装置１１によって記録紙収納部７を開閉可能に塞ぐように構成されている。この蓋開閉装置１１は、図２〜図４に示すように、機器ケース１に対してプリンタカバー９を回転可能に支持する一対の回転支持軸１２と、機器ケース１に操作可能に取り付けられて機器ケース１の外部に露出する一対の操作部材１３と、記録紙収納部７を塞いだ際にプリンタカバー９をロックする一対のロック部材１４とを備えている。
【００１８】
一対の回転支持軸１２は、図２に示すように、機器ケース１の長手方向に位置する端部の両側にそれぞれ設けられている。この回転支持軸１２は、ほぼＬ字形状に折り曲げられ、その一端部が機器ケース１に回転自在に取り付けられ、他端部がプリンタカバー９に回転自在に取り付けられた構成になっている。
【００１９】
すなわち、この回転支持軸１２は、図２に示すように、その一端部が記録紙収納部７を挟んで印字ヘッド８と反対側に位置する機器ケース１内の端部に回転自在に取り付けられ、他端部がプラテンローラ１０と反対側に位置するプリンタカバー９の端部に回転自在に取り付けられた構成になっている。この場合、一対の回転支持軸１２が位置する機器ケース１の両側部には、回転支持軸１２が挿入する軸収納部１２ａが設けられている。
【００２０】
これにより、プリンタカバー９は、図２に示すように、一対の回転支持軸１２を中心に回転して開く際に、一対の回転支持軸１２がプラテンローラ１０と反対側に位置するプリンタカバー９の端部を押し上げるように回転してプラテンローラ１０側に位置するプリンタカバー９の端部を上方に向けて回転移動させながら、回転支持軸１２側に位置する機器ケース１の端部上に起立した状態で開くように構成されている。
【００２１】
一対の操作部材１３は、図３および図４に示すように、機器ケース１の両側部に回転可能に取り付けられた回転軸部１５と、機器ケース１の外部に露出して回転軸部１５を回転させる操作レバー部１６とを備えている。この場合、回転軸部１５は、機器ケース１の側部に回転可能に取り付けられた状態で、外端部が機器ケース１の外部に突出し、内端部が機器ケース１内に突出している。この回転軸部１５は、その外端部に取り付けられた操作レバー部１６の回転操作に応じて回転するように構成されている。
【００２２】
また、操作レバー部１６は、図１〜図３に示すように、ほぼ楕円形状に形成され、その一端部が回転軸部１５の外端部に取り付けられ、これと反対側に位置する先端部１６ａがプリンタカバー９の回転中心である回転支持軸１２側に向けて突出した状態で配置され、この状態で先端部１６ａが上下方向に回転移動するように構成されている。
【００２３】
一対のロック部材１４は、図３および図４に示すように、操作部材１３の回転操作によって回転する連動回転部１７と、この連動回転部１７に設けられてプリンタカバー９が記録紙収納部７を塞いだ状態のときにプリンタカバー９の係合部１８に係合してプリンタカバー９をロックするロック部２０と、連動回転部１７に設けられてプリンタカバー９に対するロック部２０によるロックが解除された際にプリンタカバー９を開く方向に押し上げる押上げ部２１とを備えている。
【００２４】
この場合、プリンタカバー９の両側には、図２〜図４に示すように、一対の係合部１８がロック部材１４に向けて突出して設けられている。この一対の係合部１８には、プリンタカバー９の開閉方向に対し直交する方向、つまり回転支持軸１２側に向けて開放された溝部１８ａが設けられている。連動回転部１７は、操作部材１３の回転軸部１５の内端部に取り付けられ、操作レバー部１６の回転操作に応じて回転するように構成されている。
【００２５】
ロック部２０は、図２〜図４に示すように、プリンタカバー９の開閉方向に対し直交する方向、つまり回転支持軸１２と反対側に向けて突出する突起部であり、連動回転部１７の外周部に設けられている。このロック部２０は、プリンタカバー９が記録紙収納部７を塞いだ際に、プリンタカバー９の係合部１８に設けられた溝部１８ａに挿入して係合部１８を引き下げることにより、プリンタカバー９を機器ケース１に押し付けるように構成されている。
【００２６】
押上げ部２１は、図３および図４に示すように、プリンタカバー９の開閉方向に対し直交する方向、つまり回転支持軸１２と反対側に向けて突出して設けられた突起部である。すなわち、この押上げ部２１は、連動回転部１７におけるロック部２０よりも回転軸部１５側に位置する箇所に、ロック部２０よりも突出長さが長く形成され、ロック部２０がプリンタカバー９の係合部１８の溝部１８ａに挿入して係合した際に、係合部１８の下側に接近した状態で配置されるように構成されている。
【００２７】
これにより、押上げ部２１は、図２および図４（ｂ）に示すように、プリンタカバー９を開く際に、操作部材１３の回転操作によって連動回転部１７が時計回りに回転してロック部２０が係合部１８の溝部１８ａから離脱すると、連動回転部１７の回転に伴って係合部１８を押し上げることにより、プリンタカバー９を開く方向に押し上げるように構成されている。
【００２８】
また、この押上げ部２１は、図１および図３（ｂ）に示すように、プリンタカバー９を閉じる際に、プリンタカバー９の係合部１８が上方から当接して押し下げられることにより、連動回転部１７を反時計回りに回転させ、ロック部２０を係合部１８の溝部１８ａに挿入させて係合させ、プリンタカバー９を機器ケース１に押し付けて閉じるように構成されている。
【００２９】
ところで、プリンタカバー９には、図１および図３に示すように、記録紙排出口２２を開閉可能に塞ぐスライド蓋２３がスライド可能に取り付けられている。この場合、記録紙排出口２２は、印字ヘッド８によって印字された記録紙を機器ケース１の上方に排出するためのものであり、プリンタカバー９を閉じた際に、印字ヘッド８とプラテンローラ１０とが対面する箇所に対応してスリット形状に設けられている。
【００３０】
すなわち、この記録紙排出口２２は、図１〜図６に示すように、プリンタカバー９が記録紙収納部７を塞いで閉じた状態のときに、プリンタカバー９と機器ケース１の上部ケース２との両方に跨って設けられている。また、この記録紙排出口２２は、プリンタカバー９が記録紙収納部７を開放して開いた状態のときに、機器ケース１の上部ケース２の上部のみに位置するように構成されている。
【００３１】
また、プリンタカバー９には、図５〜図８に示すように、スライド蓋２３がスライド可能に配置される蓋収納凹部２４が設けられている。スライド蓋２３は、スリット形状の記録紙排出口２２よりも少し大きい帯板状に形成され、プリンタカバー９の蓋収納凹部２４内に蓋取付部材２５によって機器ケース１の長手方向に沿ってスライド可能に取り付けられている。このスライド蓋２３の上面には、図５および図７に示すように、滑り止め部２３ａが設けられている。
【００３２】
また、このスライド蓋２３の下面には、図７および図８に示すように、プリンタカバー９の蓋収納凹部２４に設けられた一対のガイド孔２６に移動可能に挿入する一対のガイドボス部２７が設けられている。この場合、一対のガイド孔２６は、図６に示すように、プリンタカバー９の蓋収納凹部２４内に、機器ケース１の長手方向に沿って長く形成された長孔である。
【００３３】
蓋取付部材２５は、図８に示すように、頭部２５ａおよびねじ部２５ｂを有し、プリンタカバー９のガイド孔２６に挿入されたスライド蓋２３のガイドボス部２７のねじ孔２７ａにねじ部２５ｂが螺着して頭部２５ａがプリンタカバー９の下面に接触しない状態で配置されることにより、スライド蓋２３がスライド可能な状態でプリンタカバー９の蓋収納凹部２４内から上方に抜け出さないように構成されている。
【００３４】
また、このスライド蓋２３の下面には、図７〜図９に示すように、防水パッキン２８が記録紙排出口２２の周囲に対応する状態で設けられている。この防水パッキン２８は、ゴムやエラストマーなどの弾性材料からなり、スライド蓋２３の下面にほぼ長方形状に配置されている。すなわち、この防水パッキン２８は、スライド蓋２３が記録紙排出口２２を塞いだ際に、記録紙排出口２２の外周を囲うように、記録紙排出口２２の外周に対応する状態でスライド蓋２３の下面に設けられている。
【００３５】
この場合、記録紙排出口２２の外周には、図８に示すように、防水パッキン２８が圧接する圧接部２２ａが記録紙排出口２２の外周を囲んで設けられている。この圧接部２２ａは、記録紙排出口２２の外周縁に位置する上部ケース２の縁部と、記録紙排出口２２の外周縁に位置するプリンタカバー９の蓋収納凹部２４の縁部との両方に設けられて、記録紙排出口２２の外周を囲むように構成されている。
【００３６】
さらに、このスライド蓋２３は、図７〜図９に示すように、プリンタカバー９の蓋収納凹部２４内をスライドする際に、ガイド部材２９によって上下方向の位置が制御されるように構成されている。すなわち、このガイド部材２９は、スライド蓋２３のスライド動作中のときに防水パッキン２８をプリンタカバー９の蓋収納凹部２４の上面に接触させず、スライド蓋２３が記録紙排出口２２を塞いでスライド動作が終了した際に防水パッキン２８を記録紙排出口２２の外周縁に位置する圧接部２２ａ上に接触させるように構成されている。
【００３７】
この場合、ガイド部材２９は、図６〜図９に示すように、スライド蓋２３の下面に設けられたガイド突起部３０と、プリンタカバー９の蓋収納凹部２４の上面に設けられてガイド突起部３０を押し上げながらガイドするガイドレール部３１とを備えている。ガイド突起部３０は、防水パッキン２８の長手方向における外部側に位置するスライド蓋２３の下面にその下側に向けてほぼ半円弧状に突出して形成されている。
【００３８】
ガイドレール部３１は、図６および図８に示すように、プリンタカバー９の蓋収納凹部２４の上面にスライド蓋２３のスライド方向に沿って設けられている。このガイドレール部３１は、スライド蓋２３を閉じる際に、プリンタカバー９の湾曲面に沿って緩やかに傾斜させながらスライド蓋２３のガイド突起部３０をガイドした上、ガイド突起部３０をほぼ水平にガイドしてスライド蓋２３を記録紙排出口２２上に配置させるように構成されている。
【００３９】
すなわち、このガイドレール部３１は、図８に示すように、スライド蓋２３が記録紙排出口２２から最も離れて開いた位置から、図９（ｂ）に示すように、スライド蓋２３が記録紙排出口２２に接近する位置までの間において、防水パッキン２８が蓋収納凹部２４の上面に接触しないようにガイド突起部３０を押し上げながらガイドするように形成されている。
【００４０】
また、このガイドレール部３１は、図９（ｂ）および図９（ｃ）に示すように、スライド蓋２３が記録紙排出口２２を覆う際に、ガイド突起部３０をスライド蓋２３と共に押し上げて、防水パッキン２８を記録紙排出口２２の外周縁に位置する圧接部２２ａ上に移動させ、スライド蓋２３が記録紙排出口２２を覆って完全に塞ぐ際に、ガイド突起部３０を落し込んで防水パッキン２８を記録紙排出口２２の外周縁に位置する圧接部２２ａ上に接触させるように形成されている。
【００４１】
一方、記録紙排出口２２の縁部に位置する機器ケース１の上部ケース２には、図５および図１０に示すように、押え突起部３２がスライド蓋２３側に向けて突出して設けられている。また、スライド蓋２３には、記録紙排出口２２をスライド蓋２３が塞いでスライド動作が終了する際に、押え突起部３２によって上部ケース２の上面に向けて押し付けられる係合突起部３３が設けられている。
【００４２】
すなわち、上部ケース２の押え突起部３２は、図５に示すように、記録紙排出口２２の長手方向の両端部に位置する上部ケース２の端部の両側に、スライド蓋２３側に向けて突出して設けられている。スライド蓋２３の係合突起部３３は、図５および図１０（ａ）に示すように、スライド蓋２３が記録紙排出口２２を覆う際に、スライド蓋２３のガイド突起部３０がガイドレール部３１によって押し上げられた状態で、押え突起部３２の下側に向けて移動するように構成されている。
【００４３】
また、この係合突起部３３は、図５および図１０（ｂ）に示すように、スライド蓋２３のガイド突起部３０がガイドレール部３１の水平な部分上を移動して、スライド蓋２３が記録紙排出口２２を覆って完全に塞ぐ際に、機器ケース１の押え突起部３２の下側に当接して押え突起部３２によって押し下げられることにより、防水パッキン２８を記録紙排出口２２の外周縁に位置する圧接部２２ａ上に押し付けて圧接させるように構成されている。
【００４４】
これにより、このスライド蓋２３は、図５（ｂ）および図９（ｃ）に示すように、プリンタ部６を使用しないときに、入力表示部４側にスライドさせて記録紙排出口２２を塞ぎ、防水パッキン２８を記録紙排出口２２の外周縁に位置する圧接部２２ａ上に押し付けて圧縮させることにより、雨水などの水滴が記録紙排出口２２から機器ケース１内に浸入するのを防ぐように構成されている。
【００４５】
また、このスライド蓋２３は、図５（ａ）および図８に示すように、プリンタ部６を使用する際に、入力表示部４と反対側にスライドさせて記録紙排出口２２を開放することにより、印字ヘッド８によって情報が印字された記録紙を記録紙排出口２２から機器ケース１の外部に排出させるように構成されている。
【００４６】
ところで、このスライド蓋２３は、図６および図７に示すように、蓋位置規制部材３４によってスライド位置が規制されるように構成されている。この蓋位置規制部材３４は、プリンタカバー９の蓋収納凹部２４内に設けられた第１、第２の各規制突起部３５ａ、３５ｂと、スライド蓋２３の下面に設けられて第１、第２の各規制突起部３５ａ、３５ｂによって位置規制される弾接突起部３６とを備えている。
【００４７】
この場合、第１、第２の各規制突起部３５ａ、３５ｂのうち、第１規制突起部３５ａは、図６に示すように、プリンタカバー９の蓋収納凹部２４内における記録紙排出口２２側に位置する箇所に設けられ、スライド蓋２３がスライドして記録紙排出口２２を塞いだ際に、クリック感をもってスライド蓋２３の弾接突起部３６を係止することにより、スライド蓋２３の閉位置を規制するように構成されている。
【００４８】
また、第２規制突起部３５ｂは、図６に示すように、プリンタカバー９の蓋収納凹部２４内における記録紙排出口２２側から離れた位置に設けられ、スライド蓋２３がスライドして記録紙排出口２２を開放して完全に開いた際に、クリック感をもってスライド蓋２３の弾接突起部３６を係止することにより、スライド蓋２３の開位置を規制するように構成されている。
【００４９】
さらに、スライド蓋２３の弾接突起部３６は、ゴムなどの弾性材料からなり、図７（ｂ）に示すように、スライド蓋２３の下面における記録紙排出口２２から離れた位置に円筒状に設けられ、スライド蓋２３がスライドして記録紙排出口２２を塞いだ際に、第１規制突起部３５ａによって位置規制され、またスライド蓋２３がスライドして記録紙排出口２２を開放した際に、第２規制突起部３５ｂによって位置規制されるように構成されている。
【００５０】
一方、このプリンタ部６には、図８に示すように、スライド蓋２３がスライドして記録紙排出口２２を開放した際に、印字を可能にするための検出信号を出力する検出部３７が設けられている。この検出部３７は、磁気を検出する磁気センサーであり、プリンタカバー９の蓋収納凹部２４に対応する箇所において、記録紙排出口２２から最も離れた箇所に位置する機器ケース１の内部に設けられている。
【００５１】
すなわち、この検出部３７は、図８に示すように、スライド蓋２３がスライドして記録紙排出口２２を開放した際に、スライド蓋２３側に設けられた磁石３８が検出部３７の上方に接近して位置することにより、その磁石３８の磁界を検出し、その検出信号を電気信号として出力するように構成されている。この場合、磁石３８は、スライド蓋２３をプリンタカバー９にスライド可能に取り付けるための取付部材２５に設けられた取付支持板３９に取り付けられている。
【００５２】
次に、このような携帯情報端末機におけるプリンタ部６の作用について説明する。
機器ケース１の入力表示部４に表示されている情報をプリンタ部６で記録紙に印字する場合には、まず、プリンタカバー９のスライド蓋２３をスライドさせて記録紙排出口２２を開放する。このときには、プリンタカバー９が記録紙収納部７を覆って閉じた状態で、予め、印字ヘッド８とプラテンローラ１０との間に記録紙が配置されている。
【００５３】
この状態で、印字ヘッド８が印字を開始すると、入力表示部４に表示されている情報が１行ごとに記録紙に印字され、プラテンローラ１０が回転して、印字された記録紙が記録紙排出口２２から順次送り出されると共に、記録紙収納部７に収納されているロール状の記録紙が印字ヘッド８とプラテンローラ１０との間に順次送り込まれ、この送り込まれた記録紙に次の情報が順次印字される。このようにして、記録紙に情報が印字されて記録紙排出口２２から外部に送り出される。
【００５４】
また、この携帯情報端末機のプリンタ部６で印字をしない場合には、プリンタカバー９を閉じた状態で、スライド蓋２３をスライドさせて記録紙排出口２２をスライド蓋２３で塞ぐことにより、雨天のときに屋外で携帯しても、スライド蓋２３によって雨水などの水滴の影響を受けずに良好に携帯することができる。
【００５５】
このときには、スライド蓋２３を記録紙排出口２２に向けてスライドさせると、まず、スライド蓋２３の弾性突起部３６がプリンタカバー９の蓋収納凹部２４内の第２位置規制部３５ｂによる位置規制に抗して移動すると共に、スライド蓋２３のガイド突起部３０がガイドレール部３１にガイドされて移動する。
【００５６】
すなわち、スライド蓋２３の弾性突起部３６が第２位置規制部３５ｂから離脱し、ガイド突起部３０がガイドレール部３１上を移動すると、スライド蓋２３がガイド突起部３０によって押し上げられて、防水パッキン２８が蓋収納凹部２４の上面に接触しない状態で、スライド蓋２３が記録紙排出口２２から最も離れた位置から記録紙排出口２２に接近する位置まで移動する。
【００５７】
このように、スライド蓋２３が記録紙排出口２２に接近する位置まで移動すると、プリンタカバー９の蓋取付部材２５に設けられた取付支持板３９の磁石３８がスライド蓋２３と共に移動するので、この磁石３８が機器ケース１内に設けられた検出部３７から離れる。このため、検出部３７が磁石３８の磁界を検出することができず、印字を可能にするための検出信号を出力しない。これにより、プリンタ部６が動作しないように停止される。
【００５８】
そして、スライド蓋２３のガイド突起部３０がガイドレール部３１のほぼ水平な部分に到達した際には、ガイド突起部３０がガイドレール部３１のほぼ水平な部分上を移動して、スライド蓋２３に設けられた防水パッキン２８を記録紙排出口２２の外周に位置する圧接部２２ａ上に向けて移動させる。このときには、スライド蓋２３が記録紙排出口２２を覆うと共に、このスライド蓋２３に設けられた係合突起部３３が上部ケース２の押え突起部３２の下側に向けて移動する。
【００５９】
この状態で、スライド蓋２３が記録紙排出口２２を塞ぐ方向に更に移動して、スライド蓋２３が記録紙排出口２２を覆って完全に塞ぐ際には、スライド蓋２３の弾性突起部３６がプリンタカバー９の蓋収納凹部２４内の第１位置規制部３５ａによる位置規制されると共に、スライド蓋２３のガイド突起部３０がガイドレール部３１の水平部分で落ち込む。
【００６０】
このときには、スライド蓋２３の弾性突起部３６が第１位置規制部３５ａを弾力的に通過して位置規制されることにより、スライド蓋２３が閉位置に規制される。また、このときには、スライド蓋２３に設けられた係合突起部３３が上部ケース２の押え突起部３２によって押し下げられるので、防水パッキン２８が記録紙排出口２２の外周縁に位置する圧接部２２ａ上に押し付けられる。
【００６１】
これにより、記録紙排出口２２は、スライド蓋２３によって塞がれた状態で、防水パッキン２８によって密閉される。このため、雨天のときに屋外で携帯しても、雨水などの水滴が記録紙排出口２２から浸入するのを防ぐことができる。すなわち、雨水などの水滴がスライド蓋２３によって直接、記録紙排出口２２から浸入するのを防ぐことができると共に、スライド蓋２３に付着した水滴がスライド蓋２３の下面側に回り込むのを防水パッキン２８によって防ぐことができるので、雨水などの水滴の影響を受けずに良好に携帯することができる。
【００６２】
また、記録紙排出口２２を開放する際には、スライド蓋２３を記録紙排出口２２から離れる方向にスライドさせる。このときには、まず、スライド蓋２３の弾性突起部３６が第１位置規制部３５ａによる位置規制に抗して移動すると共に、このスライド蓋２３のスライドに伴ってスライド蓋２３の係合突起部３３が上部ケース２の押え突起部３２の下側から離脱し、スライド蓋２３のガイド突起部３０がガイドレール部３１によって押し上げられて移動する。
【００６３】
このときには、スライド蓋２３がガイド突起部３０によって押し上げられていることにより、スライド蓋２３の防水パッキン２８がプリンタカバー９の蓋収納凹部２４の上方に押し上げられて浮き上がる。この状態で、スライド蓋２３を記録紙排出口２２から離れる方向に向けて更にスライドさせると、スライド蓋２３のガイド突起部３０がガイドレール部３１によって斜め上方に向けてガイドされながら移動する。
【００６４】
このように、ガイド突起部３０がガイドレール部３１上を斜め上方に向けて移動することにより、スライド蓋２３がガイド突起部３０によって押し上げられて防水パッキン２８が蓋収納凹部２４の上面に接触しない状態で、スライド蓋２３が記録紙排出口２２側から離れて記録紙排出口２２を開放する。
【００６５】
そして、スライド蓋２３が記録紙排出口２２側から離れると、スライド蓋２３の蓋取付部材２５に設けられた取付支持板３６の磁石３８がスライド蓋２３と共に移動し、この磁石３８が機器ケース１内に設けられた検出部３７の上方に接近する。このため、検出部３７が磁石３８を検出して、印字を可能にするための検出信号を出力する。これにより、プリンタ部６を印字動作可能な状態にする。また、このときには、スライド蓋２３の弾性突起部３６が第２位置規制部３５ｂによって位置規制され、スライド蓋２３が開位置に規制される。
【００６６】
ところで、このプリンタ部６の記録紙収納部７に収納されている記録紙を交換する際には、機器ケース１の両側に露出している操作部材１３の操作レバー部１６を回転操作してプリンタカバー９が開く。このときには、操作レバー部１６を時計回りに回転させると、回転軸部１５が回転し、この回転軸部１５の回転に伴ってロック部材１４の連動回転部１７が時計回りに回転し、ロック部２０がプリンタカバー９の係合部１８の溝部１８ａから離脱する。
【００６７】
すると、連動回転部１７に伴ってロック部材１４の押上げ部２１がプリンタカバー９の係合部１８を押し上げる。これにより、プリンタカバー９がロック部材１４の押上げ部２１によって押し上げられて回転支持軸１２を中心に開く方向に回転して機器ケース１上に浮き上がる。この浮き上がったプリンタカバー９を引き上げて回転支持軸１２を中心に開く方向に回転させて、プリンタカバー９を機器ケース１上に起立させる。これにより、ロール状の記録紙を交換することができる。
【００６８】
このように、この携帯情報端末機における記録紙排出口２２の防滴構造によれば、機器ケース１のプリンタカバー９にスライド可能に取り付けられて記録紙排出口２２を開閉可能に塞ぐスライド蓋２３と、このスライド蓋２３に設けられてスライド蓋２３が記録紙排出口２２を塞いだ際に記録紙排出口２２を囲む防水パッキン２８と、スライド蓋２３のスライド動作中のときに防水パッキン２８をプリンタカバー９に接触させず、スライド蓋２３が記録紙排出口２２を塞いでスライド動作が終了した際に防水パッキン２８をスライド蓋２３と機器ケース１との間に挟み付けるガイド部材２９とを備えていることにより、記録紙排出口２２から水滴が浸入するのを防ぐことができると共に、防水パッキン２８の耐久性を向上させることができる。
【００６９】
すなわち、この記録紙排出口２２の防滴構造では、スライド蓋２３が記録紙排出口２２を塞いだ際に、防水パッキン２８をスライド蓋２３と機器ケース１側の圧接部２２ａとの間に挟み付けることができるので、雨水などの水滴がスライド蓋２３に付着しても、その付着した水滴がスライド蓋２３の下面側に回り込んで記録紙排出口２２から浸入するのを確実に防ぐことができる。
【００７０】
また、この記録紙排出口２２の防滴構造では、スライド蓋２３がスライドして記録紙排出口２２を塞ぐ際に、スライド蓋２３に設けられた防水パッキン２８をガイド部材２９によってプリンタカバー９に接触させずに、スライド蓋２３をスライドさせることができるので、スライド蓋２３のスライド動作によって防水パッキン２８が摩耗するのを防ぐことができ、これにより防水パッキン２８の耐久性を向上させることができる。
【００７１】
この場合、記録紙排出口２２の縁部に位置する上部ケース２には、押え突起部３２がスライド蓋２３に向けて突出して設けられており、スライド蓋２３には、記録紙排出口２２をスライド蓋２３が塞いでスライド動作が終了する際に、押え突起部３２によって上部ケース２上に向けて押し付けられる係合突起部３３が設けられているので、スライド蓋２３が記録紙排出口２２を塞いでスライド動作が終了した際に、防水パッキン２８を確実にスライド蓋２３と機器ケース１側の圧接部２２ａとの間に挟み付けて圧接させることができ、これにより記録紙排出口２２を確実に且つ良好に密封することができる。
【００７２】
また、この携帯情報端末機における記録紙排出口２２の防滴構造では、機器ケース１に記録紙を収納する記録紙収納部７が設けられていると共に、この記録紙収納部７を開閉可能に覆うプリンタカバー９が設けられており、スライド蓋２３はプリンタカバー９にスライド可能に取り付けられていることにより、機器ケース１に記録紙を収納する記録紙収納部７を設けても、プリンタカバー９によって記録紙収納部７を開閉可能に塞ぐことができると共に、機器ケース１にプリンタカバー９を設けても、このプリンタカバー９を閉じた状態でスライド蓋２３をスライドさせて記録紙排出口２２を塞ぐことができるので、記録紙排出口２２を確実に且つ良好に密封することができる。
【００７３】
また、スライド蓋２３が記録紙排出口２２を塞いだ際には、スライド蓋２３の係合突起部３３が機器ケース１の押え突起部３２によって押えられるので、プリンタカバー９を開操作することができないため、プリンタカバー９が勝手に開かないようにすることができ、これにより雨天のときに屋外で携帯しても、防滴性を確保した状態で、安全に且つ良好に携帯することができる。
【００７４】
この場合、プリンタカバー９には、スライド蓋２３がスライド可能に配置する蓋収納凹部２４が設けられているので、スライド蓋２３をプリンタカバー９にスライド可能に設けても、スライド蓋２３を蓋収納凹部２４内でスライドさせることができ、これによりスライド蓋２３がプリンタカバー９上にほとんど突出することがないため、携帯情報端末機を携帯する際に、スライド蓋２３が邪魔になったり、物に引っ掛かったりせず、携帯情報端末機をコンパクトに且つ良好に携帯することができる。
【００７５】
また、この記録紙排出口２２の防滴構造では、ガイド部材２９が、スライド蓋２３の下面に設けられたガイド突起部３０と、スライド蓋２３がスライドするプリンタカバー９に設けられてガイド突起部３０を押し上げながらガイドするガイドレール部３１とを備えていることにより、スライド蓋２３のスライド動作中のときに防水パッキン２８をプリンタカバー９に接触させずに、スライド蓋２３を円滑にスライドさせることができ、またスライド蓋２３が記録紙排出口２２を塞いでスライド動作が終了した際に、防水パッキン２８をスライド蓋２３と機器ケース１側の圧接部２２ａとの間に挟み付けて圧接させることができる。
【００７６】
すなわち、ガイドレール部３１は、スライド蓋２３が記録紙排出口２２に接近するまで、防水パッキン２８がプリンタカバー９の蓋収納凹部２４の上面に接触しないように、スライド蓋２３を円滑にガイドすることができると共に、スライド蓋２３が記録紙排出口２２を覆う際に、ガイド突起部３０をスライド蓋２３と共に押し上げて、防水パッキン２８を記録紙排出口２２の外周に位置する圧接部２２ａ上に向けて押し上げることができ、スライド蓋２３が記録紙排出口２２を覆って完全に塞ぐ際に、ガイド突起部３０を落し込んで、防水パッキン２８を記録紙排出口２２の外周縁に位置する圧接部２２ａ上に確実に接触させることができる。
【００７７】
さらに、この記録紙排出口２２の防滴構造では、スライド蓋２３がスライドして記録紙排出口２２を開放した際に、印字を可能にするための検出信号を出力する検出部３７を備えているので、スライド蓋２３が記録紙排出口２２を開放した際に、検出部３７からの検出信号によってプリンタ部６の印字ヘッド８が動作可能な状態にすることができる。このため、誤ってスライド蓋２３を閉じた状態でプリンタ部６が印字するのを確実に防ぐことができ、これによりスライド蓋２３による記録紙の紙詰まりを防ぐことができる。
【００７８】
この場合、検出部３７は、磁気を検出する磁気センサーであり、スライド蓋２３が記録紙排出口２２を開いた際に、スライド蓋２３に設けられた磁石３８が対応する箇所の機器ケース１内に位置して設けられていることにより、スライド蓋２３が記録紙排出口２２を塞いでいる状態のときは、磁石３８が検出部３７から離れて検出部３７が磁石３８の磁界を検出せず、検出信号を出力しないため、プリンタ部６が動作しないように確実に停止させることができ、またスライド蓋２３が記録紙排出口２２を開いて磁石３８が検出部３７上に位置した際に、検出部３７が磁石３８の磁界を検出して検出信号を出力するため、プリンタ部６を動作可能な状態にすることができる。
【００７９】
また、この記録紙排出口２２の防滴構造では、スライド蓋２３がスライドして記録紙排出口２２を塞いだ際にスライド蓋２３の閉位置を規制し、且つスライド蓋２３がスライドして記録紙排出口２２を開放した際にスライド蓋２３の開位置を規制する蓋位置規制部材３４を備えていることにより、スライド蓋２３が記録紙排出口２２を塞いだ際にスライド蓋２３を閉位置に確実に位置規制することができ、またスライド蓋２３が記録紙排出口２２を開放した際にスライド蓋２３を開位置に確実に位置規制することができ、これによりスライド蓋２３が勝手にスライドしないように、スライド蓋２３を良好に位置規制することができる。
【００８０】
この場合、蓋位置規制部材３４は、プリンタカバー９の蓋収納凹部２４内に設けられた第１、第２の各規制突起部３５ａ、３５ｂと、スライド蓋２３の下面に設けられて第１、第２の各規制突起部３５ａ、３５ｂによって位置規制される弾接突起部３６とを備えていることにより、スライド蓋２３が記録紙排出口２２を塞いだ際に第１規制突起部３５ａによってスライド蓋２３の弾接突起部３６を位置規制して、スライド蓋２３を閉位置に確実に規制することができ、またスライド蓋２３が記録紙排出口２２を開放して開いた際に、第２規制突起部３５ｂによってスライド蓋２３の弾接突起部３６を位置規制して、スライド蓋２３を開位置に確実に規制することができる。
【００８１】
さらに、この携帯情報端末機では、プリンタカバー９を開く際に、蓋開閉装置１１の操作部材１３の回転操作によってロック部材１４の連動回転部１７が回転すると、この連動回転部１７の回転に伴ってロック部２０が回転移動してプリンタカバー９の係合部１８に対するロックを解除することでき、この状態で連動回転部１７が更に回転すると、この連動回転部１７の回転に伴って押上げ部２１が回転移動してプリンタカバー９の係合部１８を押し上げてプリンタカバー９を開くことができるので、操作部材１３を回転操作するだけで、ロック部材１４によるプリンタカバー９のロック解除操作とプリンタカバー９の開操作とを一連の動作として連続させることができる。
【００８２】
また、この携帯情報端末機では、プリンタカバー９を閉じる際に、プリンタカバー９が記録紙収納部７を覆って機器ケース１上に配置されると、プリンタカバー９の係合部１８がロック部材１４の押上げ部２１に当接するので、この状態でプリンタカバー９の端部を押し下げると、ロック部材１４の押上げ部２１がプリンタカバー９の係合部１８によって押し下げられるので、連動回転部１７を回転させてロック部２０をプリンタカバー９の係合部１８に係合させることができ、これにより操作部材１３を操作することなく、プリンタカバー９を簡単に且つ確実にロックして閉じることができるので、プリンタカバー９の閉操作性が良い。
【００８３】
このように、この携帯情報端末機では、スライド蓋２３が記録紙排出口２２を塞いだ際に、防水パッキン２８をスライド蓋２３と機器ケース１との間に挟み付けて圧接させることができるので、雨水などの水滴がスライド蓋２３に付着しても、その付着した水滴がスライド蓋２３の下面側に回り込んで記録紙排出口２２から浸入するのを確実に防ぐことができる。
【００８４】
また、この携帯情報端末機では、スライド蓋２３がスライドして記録紙排出口２２を塞ぐ際に、スライド蓋２３に設けられた防水パッキン２８をガイド突起部３０によってプリンタカバー９に接触させずに、スライド蓋２３をスライドさせることができるので、スライド蓋２３のスライド動作によって防水パッキン２８が摩耗するのを防ぐことができ、これにより防水パッキン２８の耐久性を向上させることができる。
【００８５】
なお、上述した実施形態では、検出部３７が磁気センサーである場合について述べたが、これに限らず、例えば検出部として、発光素子および受光素子を有する光学センサーや、操作子の押圧操作によってオン・オフする押釦スイッチを用いても良い。
【００８６】
また、上述した実施形態では、防水パッキン２８をスライド蓋２３に設けた場合について述べたが、これに限らず、例えば記録紙排出口２２の周囲に位置する上部ケース２の箇所に防水パッキン２８を設けた構成であっても良い。この場合には、スライド蓋２３が記録紙排出口２２を覆って塞いだ際に、スライド蓋２３が防水パッキン２８を圧接するように構成すれば良い。
【００８７】
また、上述した実施形態では、スライド蓋２３をプリンタカバー９にスライド可能に設けた場合について述べたが、これに限らず、スライド蓋２３を機器ケース１の上部ケース２の上面にスライド可能に設けても良い。この場合にも、上部ケース２の上面に蓋収納凹部２４を設け、この蓋収納凹部２４内にスライド可能に設ければ良い。
【００８８】
さらに、上述した実施形態では、携帯情報端末機に適用した場合について述べたが、必ずしも携帯情報端末機に適用する必要はなく、例えば小型電子式計算機などのプリンタを備えた電子機器に広く適用することができる。
【００８９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９０】
（付記）
請求項１に記載の発明は、機器ケースに対してスライド可能に取り付けられ、且つ前記機器ケースに設けられた記録紙排出口を開閉可能に塞ぐスライド蓋と、このスライド蓋と前記記録紙排出口の周囲に位置する箇所の前記機器ケースとの一方に設けられ、前記スライド蓋が前記記録紙排出口を塞いだ際に、前記記録紙排出口を囲んで前記スライド蓋と前記機器ケースとの間に配置される防水パッキンと、前記スライド蓋のスライド動作中のときに前記防水パッキンが対面する前記スライド蓋と前記機器ケースとの他方に前記防水パッキンを接触させず、前記スライド蓋が前記記録紙排出口を塞いでスライド動作が終了した際に前記防水パッキンを前記スライド蓋と前記機器ケースとの間に挟み付けるガイド部材とを備えていることを特徴とする記録紙排出口の防滴構造である。
【００９１】
請求項２に記載の発明は、請求項１に記載の記録紙排出口の防滴構造において、前記記録紙排出口の縁部に位置する前記機器ケースの箇所には、押え突起部が前記スライド蓋に向けて突出して設けられており、前記スライド蓋には、前記記録紙排出口を前記スライド蓋が塞いでスライド動作が終了する際に、前記押え突起部によって前記機器ケースに向けて押し付けられる係合突起部が設けられていることを特徴とする記録紙排出口の防滴構造である。
【００９２】
請求項３に記載の発明は、請求項１または請求項２に記載の記録紙排出口の防滴構造において、前記防水パッキンは前記スライド蓋に設けられて前記機器ケースに対してスライド可能に対面していることを特徴とする記録紙排出口の防滴構造である。
【００９３】
請求項４に記載の発明は、請求項１〜請求項３のいずれかに記載の記録紙排出口の防滴構造において、前記機器ケースには、記録紙を収納する記録紙収納部が設けられていると共に、この記録紙収納部を開閉可能に覆うプリンタカバーが設けられており、前記スライド蓋は前記プリンタカバーにスライド可能に取り付けられていることを特徴とする記録紙排出口の防滴構造である。
【００９４】
請求項５に記載の発明は、請求項４に記載の記録紙排出口の防滴構造において、前記プリンタカバーには、前記スライド蓋がスライド可能に配置する蓋収納凹部が設けられていることを特徴とする記録紙排出口の防滴構造である。
【００９５】
請求項６に記載の発明は、請求項１〜請求項５に記載の記録紙排出口の防滴構造において、前記ガイド部材は、前記スライド蓋の下面に設けられたガイド突起部と、前記スライド蓋がスライドする前記機器ケース側に設けられて前記ガイド突起部を押し上げながらガイドするガイドレール部とを備えていることを特徴とする記録紙排出口の防滴構造である。
【００９６】
請求項７に記載の発明は、請求項１〜請求項６に記載の記録紙排出口の防滴構造において、前記スライド蓋がスライドして前記記録紙排出口を開放した際に、印字を可能にするための検出信号を出力する検出部を備えていることを特徴とする記録紙排出口の防滴構造である。
【００９７】
請求項８に記載の発明は、請求項１〜請求項７に記載の記録紙排出口の防滴構造において、前記スライド蓋がスライドして前記記録紙排出口を塞いだ際に前記スライド蓋の閉位置を規制し、且つ前記スライド蓋がスライドして前記記録紙排出口を開放した際に前記スライド蓋の開位置を規制する蓋位置規制部材を備えていることを特徴とする記録紙排出口の防滴構造である。
【００９８】
請求項９に記載の発明は、請求項１に記載された記録紙排出口の防滴構造を備えていることを特徴とする電子機器である。
【符号の説明】
【００９９】
１  機器ケース
２  上部ケース
３  下部ケース
６  プリンタ部
７  記録紙収納部
８  印字ヘッド
９  プリンタカバー
９ａ  防水パッキン
１１  蓋開閉装置
２２  記録紙排出口
２２ａ  圧接部
２３  スライド蓋
２４  蓋収納凹部
２５  蓋取付部材
２６  ガイド孔
２７  ガイドボス部
２８  防水パッキン
３０  ガイド突起部
３１  ガイドレール部
３２  押え突起部
３３  係合突起部
３４  蓋位置規制部材
３５ａ、３５ｂ  第１、第２の各位置規制部
３６  弾性突起部
３７  検出部
３８  磁石
【図１】
0005548961.tif 000002
【図２】
0005548961.tif 000003
【図３】
0005548961.tif 000004
【図４】
0005548961.tif 000005
【図５】
0005548961.tif 000006
【図６】
0005548961.tif 000007
【図７】
0005548961.tif 000008
【図８】
0005548961.tif 000009
【図９】
0005548961.tif 000010
【図１０】
0005548961.tif 000011